【事件の表示】
　商願２００１−７２８６１拒絶査定不服審判事件について、次のとおり審決する。
【結　論】
　原査定を取り消す。
　本願商標は、登録すべきものとする。
【理　由】
１　本願商標
　本願商標は、「夢四国」の文字を標準文字により表してなり、第３０類「コーヒー及びココア，コーヒー豆，茶，調味料，香辛料，食品香料（精油のものを除く。），米，脱穀済みのえん麦，脱穀済みの大麦，食用粉類，食用グルテン，穀物の加工品，ぎょうざ，サンドイッチ，しゅうまい，すし，たこ焼き，肉まんじゅう，ハンバーガー，ピザ，べんとう，ホットドッグ，ミートパイ，ラビオリ，菓子及びパン，即席菓子のもと，アイスクリームのもと，シャーベットのもと，アーモンドペースト，イーストパウダー，こうじ，酵母，ベーキングパウダー，氷，アイスクリーム用凝固剤，家庭用食肉軟化剤，ホイップクリーム用安定剤，酒かす」を指定商品として、平成１３年８月９日に登録出願されたものである。　
                            　
２　引用商標
　原査定において、本願の拒絶の理由に引用した登録商標は、以下のとおりである。
（１）登録第１７９２９９２号商標（以下「引用Ａ商標」という。）は、「夢」の文字を書してなり、昭和５８年１月２９日に登録出願、第２９類「茶」を指定商品として、同６０年７月２９日に設定登録、その後、平成７年８月３０日に商標権存続期間の更新登録がなされ、現に有効に存続しているものである。
（２）登録第２５６４８９４号商標（以下「引用商標Ｂ」という。）は、「夢」の文字を書してなり、平成３年１月２２日に登録出願、第３０類「菓子、パン」を指定商品として、同５年８月３１日に設定登録、その後、同１５年４月３０日に商標権存続期間の更新登録がなされ、現に有効に存続しているものであるが、その後、指定商品については、同１５年５月２１日に、指定商品の書換登録があった結果、第３０類「菓子，パン」とされたものである。
（３）登録第２５６８９０６号商標（以下「引用商標Ｃ」という。）は、「夢」の文字を横書きしてなり、平成３年１月２５日に登録出願、第３１類「みそ」を指定商品として、同５年８月３１日に設定登録、その後、同１５年４月３０日に商標権存続期間の更新登録がなされ、現に有効に存続しているものであるが、その後、指定商品については、同１５年５月２１日に、指定商品の書換登録があった結果、第３０類「みそ」とされたものである。
（４）登録第４１６０４２３号商標（以下「引用Ｄ商標」という。）は、「ゆめ」の文字を横書きしてなり、平成８年９月９日に登録出願、第１類「化学品，のり及び接着剤（事務用又は家庭用のものを除く。），高級脂肪酸，非鉄金属，非金属鉱物，原料プラスチック，パルプ，工業用粉類，肥料，写真材料，試験紙，人工甘味料，陶磁器用釉薬」を指定商品として、同１０年６月２６日に設定登録されたものである。
（５）登録第４１６０４２４号商標（以下「引用Ｅ商標」という。）は、「ゆめ」の文字を横書きしてなり、平成８年９月９日に登録出願、第３類「せっけん類，植物性天然香料，動物性天然香料，合成香料，調合香料，精油からなる食品香料，薫料，化粧品，つけづめ，つけまつ毛，かつら装着用接着剤，つけまつ毛用接着剤，洗濯用でん粉のり，洗濯用ふのり，家庭用帯電防止剤，家庭用脱脂剤，さび除去剤，染み抜きベンジン，洗濯用漂白剤，つや出し剤，研磨紙，研磨布，研磨用砂，人造軽石，つや出し紙，つや出し布，靴クリーム，靴墨，塗料用剥離剤」を指定商品として、同１０年６月２６日に設定登録されたものである。
（６）登録第４１６０４２５号商標（以下「引用Ｆ商標」という。）は、「ゆめ」の文字を横書きしてなり、平成８年９月９日に登録出願、第５類「医療用腕環，人工受精用精液，乳児用粉乳，乳糖，はえ取り紙，防虫紙」を指定商品として、同１０年６月２６日に設定登録されたものであるが、その後、商標登録の一部取消審判があった結果、その指定商品中、第５類「医療用腕環」について取り消され、その登録が、同１５年３月１２日になされているものである。
（７）登録第４１７５１９６号商標（以下「引用Ｇ商標」という。）は、「ゆめ」の文字を横書きしてなり、平成８年９月９日に登録出願、第３１類「あわ，きび，ごま，そば，とうもろこし，ひえ，麦，もろこし，うるしの実，コプラ，麦芽，ホップ，未加工のコルク，やしの葉，食用魚介類（生きているものに限る。），海藻類，獣類・魚類（食用のものを除く。）・鳥類及び昆虫類（生きているものに限る。），蚕種，種繭，種卵，飼料，釣り用餌，果実，野菜（「茶の葉」を除く。），茶の葉，糖料作物，種子類，木 ，草，芝，ドライフラワー，苗，苗木，花，牧草，盆栽，生花の花輪，飼料用たんぱく」を指定商品として、同１０年８月７日に設定登録されたものである。
（８）登録第４２１３２０３号商標（以下「引用Ｈ商標」という。）は、「ゆめ」の文字を横書きしてなり、平成８年９月９日に登録出願、第３０類「コーヒー及びココア，コーヒー豆，ウースターソース，ケチャップソース，しょうゆ，食酢，酢の素，そばつゆ，ドレッシング，ホワイトソース，マヨネーズソース，焼き肉のたれ，角砂糖，果糖，氷砂糖，砂糖，麦芽糖，はちみつ，ぶどう糖，粉末あめ，ごま塩，食塩，すりごま，セロリーソルト，化学調味料，香辛料，食品香料（精油のものを除く。），米，脱穀済みの大麦，食用粉類，食用グルテン，穀物の加工品，サンドイッチ，すし，ピザ，べんとう，ミートパイ，ラビオリ，即席菓子のもと，アイスクリームのもと，シャーベットのもと，アーモンドペースト，イーストパウダー，こうじ，酵母，ベーキングパウダー，氷，酒かす」を指定商品として、同１０年１１月２０日に設定登録されたものである。
（９）登録第４２１３２０５号商標（以下「引用Ｉ商標」という。）は、別掲のとおりの構成よりなり、平成８年９月９日に登録出願、第３２類「ビール，容器入りの飲料水，清涼飲料，果実飲料，飲料用野菜ジュース，乳清飲料，ビール製造用ホップエキス」を指定商品として、同１０年１１月２０日に設定登録されたものである。
（１０）登録第４３９５７６０号商標（以下「引用Ｊ商標」という。）は、「ゆめ」の文字を横書きしてなり、平成８年９月９日に登録出願、第３２類「容器入りの飲料水，清涼飲料，果実飲料，飲料用野菜ジュース，乳清飲料，ビール製造用ホップエキス」を指定商品として、同１２年６月３０日に設定登録されたものである。
（１１）登録第４５３４２８２号商標（以下「引用Ｋ商標」という。）は、「ゆめ」の文字を横書きしてなり、平成８年９月９日に登録出願、第２９類「食肉，食用魚介類（生きているものを除く。），肉製品，加工水産物（「かつお節・寒天・削り節・とろろ昆布・干しのり・干しひじき・干しわかめ・焼きのり」を除く。），かつお節，寒天，削り節，とろろ昆布，干しのり，干しひじき，干しわかめ，焼きのり，豆，加工野菜及び加工果実，卵，加工卵，乳製品，食用油脂，カレー・シチュー又はスープのもと，なめ物，お茶漬けのり，ふりかけ，油揚げ，凍り豆腐，こんにゃく，豆乳，豆腐，納豆，食用たんぱく」を指定商品として、同１４年１月１１日に設定登録されたものである。
　　
３　当審の判断
　本願商標は、上記のとおり、「夢四国」の文字をまとまりよく表してなるものであるところ、その構成中の「四国」の文字が、原査定説示のごとく、本願指定商品の産地、販売地を表す場合があるとしても、該構成にあっては、該「夢」の文字と「四国」の文字とが、特に軽重の差がなく結合し、まとまりよく表されていることから、全体として、特定の観念の生じない造語よりなるものであるというのが相当である。
　そして、これより生ずる「ユメシコク」の称呼も、格別冗長であるというべきものでもないから、本願商標からは、該文字に照応する一連の「ユメシコク」の称呼のみが生ずるものといわざるを得ない。
　他方、引用ＡないしＫ商標は、その商標中の「夢」又は「ゆめ」文字に相応し、「ユメ」の称呼を生ずるものである。
　そこで、本願商標から生ずる「ユメシコク」の称呼と、引用ＡないしＫ商標から生ずる「ユメ」の称呼とを比較するに、両称呼は、その構成音数に明らかな差異が認められ、十分に聴別し得るものである。
　また、本願、引用の両商標は、外観において明白な差異が認められ、観念においては、本願商標が格別の観念の生じない造語であるというべきであるから、比較すべきところがない。
　してみると、本願商標と引用ＡないしＫ商標とは、その外観、称呼及び観念のいずれより見ても何ら相紛れるおそれのない、非類似の商標である。
　したがって、本願商標を商標法第４条第１項第１１号に該当するとして拒絶した原査定は、妥当なものでなく、取消しを免れない。
　その他、政令で定める期間内に本願について拒絶の理由を発見しない。
　よって、結論のとおり審決する。